(57)【要約】【課題】組み立て性が良好で効率良く製造できるディスクカートリッジを提供する。【解決手段】記録用ディスク３は両面記録タイプであり、ディスクホルダー２の端部に２つの検出孔２３ａ，２３ｂを形成し、それを形成した端部を外側から跨ぐように側面形状がほぼコ字状をした２つの移動子２８ａ，２８ｂをスライド可能にかつ抜けないように装着して、それぞれの移動子２８ａ，２８ｂのスライド操作により検出孔２３ａ，２３ｂが開閉でき、ディスクホルダー２をカートリッジケース１に装着した際に、ディスクホルダー２の検出孔２３ａ，２３ｂと対向するカートリッジケース１の部分に孔２７ａ，２７ｂが形成されていることを特徴とする。【選択図】  図２３
2005071603.tif 000002
【特許請求の範囲】
【請求項１】
所定の位置にヘッド挿入部ならびに駆動軸挿入部を設け、一つの側面にディスクホルダー挿入用開口を有するカートリッジケースと、
そのカートリッジケース内に挿抜可能に収納されるディスクホルダーと、
そのディスクホルダーに着脱可能に保持される記録用ディスクとを備えたディスクカートリッジにおいて、
前記記録用ディスクは両面記録タイプの記録用ディスクであり、
前記ディスクホルダーは、前記カートリッジケースのディスクホルダー挿入用開口に嵌合して閉塞する嵌合部を有し、その嵌合部に２つの検出孔が形成され、
各検出孔を開閉する移動子がそれぞれディスクホルダーの端部に移動可能に装着され、
前記ディスクホルダーをカートリッジケースに装着した状態で前記移動子がカートリッジケースのディスクホルダー挿入用開口内に位置して移動子の移動操作が可能であり、かつ、ディスクホルダーをカートリッジケースから抜き出した状態でも移動子の移動操作が可能であることを特徴とするディスクカートリッジ。
【請求項２】
所定の位置にヘッド挿入部ならびに駆動軸挿入部を設け、一つの側面にディスクホルダー挿入用開口を有するカートリッジケースと、
そのカートリッジケース内に挿抜可能に収納されて、記録用ディスクを着脱可能の保持するディスク保持部を有するディスクホルダーとを備えたディスクカートリッジにおいて、
前記記録用ディスクは両面記録タイプの記録用ディスクであり、
前記ディスクホルダーの端部に２つの検出孔を形成し、その検出孔を形成した端部を外側から跨ぐように側面形状がほぼコ字状をした２つの移動子をスライド可能にかつ抜けないように装着して、それぞれの移動子のスライド操作により前記検出孔が開閉でき、
かつ前記ディスクホルダーをカートリッジケースに装着した際に、ディスクホルダーの検出孔と対向するカートリッジケースの部分に孔が形成されていることを特徴とするディスクカートリッジ。
【請求項３】
請求項１または２記載のディスクカートリッジにおいて、前記移動子がスライドするための溝を前記ディスクホルダーに設けたことを特徴とするディスクカートリッジ。
【発明の詳細な説明】
【技術分野】
【０００１】
本発明は、例えば光ディスクなどの記録用ディスクを用いるディスクカートリッジに係り、特に一方の側面にディスクホルダー挿入用開口を有するカートリッジケースと、そのカートリッジケース内に挿抜可能に収納されてディスク保持部を有するディスクホルダーとを備えたディスクカートリッジに関する。
【背景技術】
【０００２】
従来より一方の側面にディスクホルダー挿入用開口を有するカートリッジケースと、そのカートリッジケース内に挿抜可能に収納されてディスク保持部を有するディスクホルダーと、そのディスクホルダーに着脱可能に保持される記録用ディスクを備えたディスクカートリッジが検討されている。
【０００３】
図２７は従来のディスクカートリッジのライトプロテクトピンの装着を説明するための図、図２８はそのライトプロテクトピンの動作機能を説明するための図である。これらの図に示すようにカートリッジケース１００の上面と下面にそれぞれ長孔１０１ａと１０１ｂが形成され、それぞれの長孔１０１ａ，１０１ｂにライトプロテクトピン１０２ａと１０２ｂが挿入されている。
【０００４】
図２８に示すようにライトプロテクトピン１０２ａ、１０２ｂは長孔１０１ａ，１０１ｂ内でそれの長手方向に移動可能になっており、例えば図２８の左側のライトプロテクトピン１０２ａのように長孔１０１ａの手前側にあれば、カートリッジケース１００内に収納されている記録用ディスク１０３のＡ面に対する情報の書込みを禁止し、同図の右側のライトプロテクトピン１０２ｂのように長孔１０１ａの奥側にあれば、記録用ディスク１０３のＢ面に対する書込みを許可するようになっている。
【０００５】
このライトプロテクトピン１０２の位置はディスクドライブ装置内で機械的に検出され、その検出信号が装置内の制御部に入力され、情報の書込み禁止または書込み許可の制御処理が行なわれる。
【０００６】
なお、ディスクカートリッジのライトプロテクトに関しては、例えば下記のような特許文献１〜４を挙げることができる。
【特許文献１】特開平０８−２４９８５４号公報
【特許文献２】特開平０９−２８２８３３号公報
【特許文献３】実開昭５９−１４２９６１号公報
【特許文献４】実開昭５８−１４８７８８号公報
【発明の開示】
【発明が解決しようとする課題】
【０００７】
この従来のディスクカートリッジは、ライトプロテクトピン１０２が小さくて組み立て時に取扱い難く、一方のライトプロテクトピン１０２ａをカートリッジケース１００の上側から挿入すると、そのライトプロテクトピン１０２ａが抜けないようにしてカートリッジケース１００を裏返し、次に他方のライトプロテクトピン１０２ｂをカートリッジケース１００の上側から挿入する方法をとっていた。そのため組立作業が煩雑で、ライトプロテクトピン１０２がカートリッジケース１００から抜け落ちることがあった。
【０００８】
またカートリッジケース１００の上面と下面に長孔１０１ａ，１０１ｂ（もしくは切欠溝）を形成する必要があり、そのために長孔１０１ａ，１０１ｂ（もしくは切欠溝）を通して塵埃類がカートリッジケース１００内に侵入し、それが記録用ディスク１０３に付着して、記録／再生エラーの原因になり、さらに長孔１０１を設けることからカートリッジケース１００を成形する金型形状が複雑になったり、カートリッジケース１００の外観を損ねるなどの欠点がある。
【０００９】
本発明の目的は、このような従来技術の欠点を解消し、使用に便利で、組み立て性が良好で効率良く製造できるディスクカートリッジを提供することにある。
【課題を解決するための手段】
【００１０】
前記目的を達成するため、本発明の第１の手段は、所定の位置にヘッド挿入部ならびに駆動軸挿入部を設け、一つの側面にディスクホルダー挿入用開口を有するカートリッジケースと、
そのカートリッジケース内に挿抜可能に収納されるディスクホルダーと、
そのディスクホルダーに着脱可能に保持される記録用ディスクとを備えたディスクカートリッジにおいて、
前記記録用ディスクは両面記録タイプの記録用ディスクであり、
前記ディスクホルダーは、前記カートリッジケースのディスクホルダー挿入用開口に嵌合して閉塞する嵌合部を有し、その嵌合部の両側に検出孔がそれぞれ形成され、
各検出孔を開閉する移動子がそれぞれディスクホルダーの端部に移動可能に装着され、
前記ディスクホルダーをカートリッジケースに装着した状態で前記移動子がカートリッジケースのディスクホルダー挿入用開口内に位置して移動子の移動操作が可能であり、かつ、ディスクホルダーをカートリッジケースから抜き出した状態でも移動子の移動操作が可能であることを特徴とするものである。
【００１１】
本発明の第２の手段は、所定の位置にヘッド挿入部ならびに駆動軸挿入部を設け、一つの側面にディスクホルダー挿入用開口を有するカートリッジケースと、
そのカートリッジケース内に挿抜可能に収納されて、記録用ディスクを着脱可能の保持するディスク保持部を有するディスクホルダーとを備えたディスクカートリッジにおいて、
前記記録用ディスクは両面記録タイプの記録用ディスクであり、
前記ディスクホルダーの端部に２つの検出孔を形成し、その検出孔を形成した端部を外側から跨ぐように側面形状がほぼコ字状をした２つの移動子をスライド可能にかつ抜けないように装着して、それぞれの移動子のスライド操作により前記検出孔が開閉でき、
かつ前記ディスクホルダーをカートリッジケースに装着した際に、ディスクホルダーの検出孔と対向するカートリッジケースの部分に孔が形成されていることを特徴とするものである。
【００１２】
本発明の第３の手段は前記第１または第２の手段において、前記移動子がスライドするための溝を前記ディスクホルダーに設けたことを特徴とするものである。
【発明の効果】
【００１３】
請求項１記載の本発明は前述のように、ディスクホルダーをカートリッジケースに装着した状態で、移動子がカートリッジケースのディスクホルダー挿入用開口内に位置するように構成されているから、ディスクホルダーをカートリッジケースから取り出さなくても装着したままの状態で移動子のスライド操作ができ、使用に便利である。
【００１４】
請求項２記載の本発明は前述のように、ディスクホルダーの検出孔を形成した端部を外側から跨ぐように側面形状がほぼコ字状をした移動子をスライド可能にかつ抜けないように装着されているから、ディスクカートリッジを組み立てる際に移動子が不意に落下したりすることがない。また従来のライトプロテクトピンに比べて本発明の移動子は、ディスクホルダーの端部を跨ぐように側面形状がほぼコ字状をしているから、組立工程中での移動子のハンドリングが容易でかつ確実である。このようなことから組立作業が容易で効率よく製造できる。
【発明を実施するための最良の形態】
【００１５】
以下、本発明の実施の形態を図面に基づいて説明する。図１は本発明の実施の形態に係るディスクカートリッジの一部断面図、図２はそのディスクカートリッジの平面図、図３は上ケースの平面図、図４は上ケースの側面図、図５は上ケースの底面図、図６は図５の正面図、図７は図５の背面図、図８はディスクホルダーの平面図、図９はディスクホルダーの側面図、図１０はディスクホルダーの正面図、図１１はディスクホルダーの底面図、図１２は図１１Ｘ−Ｘ線上の断面図、図１３はディスクホルダーに記録用ディスクを保持した状態を示す平面図、図１４はディスクホルダーのストッパー部分を中心とした拡大平面図、図１５は図１４Ｙ−Ｙ線上の断面図、図１６はカートリッジケースのディスクホルダー挿入用開口とディスクホルダーの形状を示す図である。
【００１６】
ディスクカートリッジは、カートリッジケース１とディスクホルダー２と記録用ディスク３とから主に構成されている。カートリッジケース１は合成樹脂の成形体からなり、図１に示すように上ケース４と下ケース５とから構成されている。下ケース５は上ケース４とほぼ同じ形状をしているので、ケースの形状については上ケース４について説明する。
【００１７】
図３ならびに図５に示すように所定の位置にヘッド挿入部と駆動軸挿入部が一体となった（連通した）アクセス開口６が形成され、このアクセス開口６は図２に示すようにシャッター７によって開閉される。このシャッター７は、２本のバネ（図示せず）によって閉塞位置である中央位置に左右両側から常に弾性付勢されている。
【００１８】
前記アクセス開口６とは反対側の端部中央には指腹よりも若干広い切欠部８が設けられ、この切欠部８を設けた側面にはディスクホルダー挿入用開口１１の半分が形成され（図６参照）、上ケース４と下ケース５を重ね合わすことにより、扁平型のディスクホルダー挿入用開口１１が形成される。図５に示すように両側壁９の内面で切欠部８寄りの位置にロック用凹部１０がそれぞれ設けられている。
【００１９】
ディスクホルダー２は例えばガラス繊維を混入、分散したポリアミド樹脂などの耐クリープ性に優れた成形体からなり、記録用ディスク３の周面を左右両側から弾性的に挟持する２本のアーム状のディスク保持部１２，１２と、そのディスク保持部１２の基部どうしを連結するとともにカートリッジケース１の前記ディスクホルダー挿入用開口１１に嵌合する嵌合部１３と、その嵌合部１３の左右両側に設けられたロック用弾性片１４とを有している。
【００２０】
前記ディスク保持部１２の先端部には図９や図１２に示すように傾斜面２２が形成され、カートリッジケース１へのディスクホルダー２の挿入をスムーズにしている。図１３に示すように、前記ロック用弾性片１４の先端部には押圧部１５が形成され、この押圧部１５の内側の溝部２１にストッパー１８が取り外し可能に一体成形されており、カートリッジケース１からディスクホルダー２を取り出して使用するモードの時には、このストッパー１８を除去してロック用弾性片１４が弾性変形できるようにしている。
【００２１】
またこのストッパー１８の有無をディスクドライブ装置の方で光学的あるいは機械的などの適宜な手段で検出することで、当該ディスクカートリッジがカートリッジケース１からディスクホルダー２を取り出したことがあるか否かの使用履歴を判別することができる。
【００２２】
図１４ならびに図１５に示すように、円筒状のストッパー１８は薄肉部２０を介してホルダー本体ならびに押圧部１５に取外し可能に一体成形されている。そしてストッパー１８の高さが溝部２１の深さ以上、すなわち、ストッパー１８の高さをｈ１、溝部２１の深さをｈ２としたとき、ｈ１≧ｈ２の関係になるように設計されている。従って、ストッパー１８をディスクホルダー２から取り外すとき、両者の寸法関係から、ストッパー１８が溝部２１内で斜めになって溝壁に当たり、引っ掛かることがなく、そのためストッパー１８をスムーズに取り外すことができる。
【００２３】
またこのストッパー１８の高さｈ１はカートリッジケース１の高さｈ３以下（ｈ１≦ｈ３）に設定され、ストッパー１８の端部がカートリッジケース１の表面から突出しないようになっている。ストッパー１８の端部がカートリッジケース１の表面から突出すると、ディスクカートリッジを収納ケース（図示せず）に挿入するときに、引っ掛かって挿入がスムーズに行なわれず、好ましくない。
【００２４】
前記嵌合部１３の中央上面には図８に示すように１つの突起１６を有する指掛部１７が、また嵌合部１３の中央下面には図１１に示すように２つの突起１６を有する指掛部１７が形成されている。この１つの突起１６を有する方が例えばＡ面側、２つの突起１６を有する方が例えばＢ面側となっている。
【００２５】
記録用ディスク３（図１３参照）は例えば光ディスクなどからなり、表面に記録Ａ面、裏面に記録Ｂ面を有する両面記録タイプの硬質ディスクとなっている。
【００２６】
記録用ディスク３の記録Ａ面（または記録Ｂ面）とディスクホルダー２の前記１つの突起１６（または２つの突起１６）が合致するように記録用ディスク３をディスクホルダー２に装着して（図１３参照）、これをカートリッジケース１のディスクホルダー挿入用開口１１から挿入することにより、ディスクホルダー２の嵌合部１３によってカートリッジケース１のディスクホルダー挿入用開口１１が閉塞される。
【００２７】
ディスクホルダー２の挿入が終了した時点で、カートリッジケース１内に設けられているガイド突部１９（図５参照）によりディスクホルダー２のディスク保持部１２，１２が互いに径方向外側に若干開かれ、記録用ディスク３がディスク保持部１２，１２から外れてフリーの状態になる。またディスクホルダー２の挿入が終了した時点で、ディスクホルダー２のロック用弾性片１４の一部がカートリッジケース１のロック用凹部１０に嵌まり、ディスクホルダー２と記録用ディスク３が不意にカートリッジケース１から脱落するのを防いでいる。
【００２８】
このディスクホルダー２と記録用ディスク３を収納したカートリッジケース１をディスクドライブ装置に装着することにより、カートリッジケース１内の記録用ディスク３に対して情報の記録／再生がなされる（第１のモード）。
【００２９】
また、カートリッジケース１に装着されたディスクホルダー２の両側の押圧部１５（図２に示すように押圧部１５の先端部はカートリッジケース１の側面から露呈している。）を指で摘んで内側に押圧することにより、前述のロック用凹部１０とロック用弾性片１４の係合が外れる。このロック解除の状態でディスクホルダー２をカートリッジケース１から抜き出し、さらに記録用ディスク３をディスクホルダー２から外して記録用ディスク３単独でディスクドライブ装置に装着するか（第２のモード）、または抜き出したディスクホルダー２を記録用ディスク３を保持したままアダプターに挿入し、それらをディスクドライブ装置に装着して、情報の記録／再生を行なうことができる（第３のモード）。
【００３０】
図示していないが、アダプター内にもガイド突部が設けられ、アダプター内にディスクホルダー２を挿入することにより、そのガイド突部の働きでディスクホルダー２のディスク保持部１２，１２が互いに径方向外側に若干開かれ、記録用ディスク３がディスク保持部１２，１２から外れて、アダプター内でフリーの状態になり、情報の記録／再生が可能となる。
【００３１】
なお、ディスクホルダー挿入用開口１１とディスクホルダー２は、図１６に示すように、ディスクホルダー２が正しく挿入される向きにおいて、その正面（図１６における紙面鉛直方向をここでは正面とする）形状が同一であるので、誤挿入を阻止することができる。
【００３２】
図１７は図８Ｚ−Ｚ線上の拡大断面図、図１８はディスクホルダーに設けられている検出孔付近の拡大平面図、図１９は移動子の拡大平面図、図２０はその移動子の拡大側面図、図２１はその移動子の拡大背面図である。図２２は移動子をディスクホルダーに装着する状態を示す一部拡大断面図、図２３は移動子を装着したディスクカートリッジの要部拡大断面図、図２４、図２５は移動子の機能を説明するための要部拡大平面図である。
【００３３】
図８ならびに図１１に示すようにディスクホルダー２における指掛部１７の左右両側には、ライトプロテイク用の貫通した検出孔２３ａ，２３ｂを有する凹部２４ａ，２４ｂが表側と裏側に形成されている。この凹部２４ａ，２４ｂは、後述する移動子２８のスライド領域を規制している。凹部２４ａ，２４ｂの奥側には、それの幅方向に延びたスライド溝２５ａ，２５ｂが表側と裏側に設けられ、スライド溝２５ａ，２５ｂの中間位置に低い三角形の突部２６ａ，２６ｂ（図１７参照）が形成されている。この実施の形態では、前記検出孔２３ａが記録用ディスク３の記録Ａ面のライトプロテクト、検出孔２３ｂが記録用ディスク３の記録Ｂ面のライトプロテクトに用いられる。
【００３４】
一方、図２，図３に示すように上ケース４の上面から見て切欠部８の左側には、ディスクホルダー２に形成された記録Ａ面用の検出孔２３ａと対向する位置に貫通孔２７ａが形成され、図示していないが下ケース５の下面から見て切欠部８の右側には、ディスクホルダー２に形成された記録Ｂ面用の検出孔２３ｂと対向する位置に貫通孔２７ｂが形成されている。
【００３５】
前記各凹部２４ａ，２４ｂには、それぞれ移動子２８（２８ａ，２８ｂ）がスライド可能に装着される。移動子２８は弾性を有する合成樹脂で成形され、図１９ないし図２１に示すように、ディスクホルダー２の検出孔２３を塞ぐ閉塞片部２９と、その閉塞片部２９と対向するようにほぼ平行に設けられた対向片部３０と、閉塞片部２９と対向片部３０の前端部どうしを連結する連結片部３１とから構成され、図２０に示すように側面形状がほぼコ字状をしている。
【００３６】
図２０に示すように前記閉塞片部２９の後端部に、傾斜面３１を有する係止爪３２が設けられている。対向片部３０の後端部に、前記係止爪３２と対向するように傾斜面３３を有する係止爪３４が設けられ、さらにこの係止爪３４には図２１に示すように左右に傾斜したサイド傾斜面３５，３５が形成されている。
【００３７】
図２２は移動子２８をディスクホルダー２に装着する状態を示しており、この装着はディスクホルダー２をカートリッジケース１に挿入する前に行なわれる。同図に示すように傾斜面３１，３３を先にして移動子２８をディスクホルダー２の凹部２４に向けて差し込むが、前記突部２６（図１７、図１８参照）が設けられた側の凹部２４に対向片部３０がくるように差し込む。前記傾斜面３１，３３は、移動子２８の差し込みをスムーズにするために設けられている。
【００３８】
この差し込みにより移動子２８の係止爪３２，３４が上下のスライド溝２５，２５に嵌まり込んで係合し、移動子２８がディスクホルダー２から抜けないように、かつ凹部２４の幅方向にスライド可能に装着される。この装着で移動子２８は図２３に示すように、ディスクホルダー２の端部（上下に凹部２４が形成された部分）を外側から跨いだ状態になる。移動子２８のスライドを容易にするため図２４，図２５などに示すように、ディスクホルダー２の凹部２４の前部に凹部２４よりも若干長い凹み３６が形成されている。このようにすれば、図２４や図２５に示すように、移動子２８が片側にあるときでも移動子２８の端部と凹み３６の端部との間に隙間３７が形成され、それによって移動子２８のスライド動作が容易になる。
【００３９】
図２３は移動子２８を装着したディスクホルダー２をカートリッジケース１に挿入した状態を示しており、同図に示すように移動子２８は上ケース４の前部と下ケース５の前部との間に配置され、カートリッジケース１（上ケース４、下ケース５）からは出張っていない。ディスクホルダー２に形成された検出孔２３はカートリッジケース１に設けられた貫通孔２７と同一軸上に配置されている。
【００４０】
図２４は移動子２８を凹部２４の右側に移動して、検出孔２３を開いた状態を示しており、従って検出孔２３は貫通孔２７と連通している。本実施の形態では検出孔２３が開いた状態は記録用ディスク３に対しての情報の書込みを禁止したモードになっており、検出孔２３が開いていることをディスクドライブ装置のセンサ（図示せず）で機械的に検出し、その検出信号に基づいてディスクドライブ装置を書込み禁止状態にする。
【００４１】
このように検出孔２３が貫通孔２７と連通した状態でも、図２８に示す従来の長孔１０１よりも開口面積は狭く、従ってカートリッジケース１内への塵埃類の侵入は少ない。
【００４２】
図２３ならびに図２５は移動子２８を凹部２４の左側に移動して、検出孔２３を塞いだ状態を示している。本実施の形態では検出孔２３が塞いだ状態は記録用ディスク３に対しての情報の書込みを許可したモードになっており、検出孔２３が閉じていることをディスクドライブ装置のセンサで機械的に検出し、その検出信号に基づいてディスクドライブ装置を書込み可能な状態にする。図２３に示すように移動子２８の閉塞片部２９で検出孔２３が塞がれていると、カートリッジケース１内への塵埃類の侵入が阻止される。
【００４３】
なお、スライド溝２５の中間位置に突部２６を設けることにより、移動子２８の図２４の位置（開放位置）ならびに図２５の位置（閉塞位置）を節度をもって保持することができる。また、図２１に示すように係止爪３４の左右にたサイド傾斜面３５，３５を形成しておけば、突部２６に対する移動子２８（対向片部３０）の乗り上げが容易になる。
【００４４】
移動子２８による検出孔２３の開閉状態の検出は、ディスクホルダー２をカートリッジケース１に挿入した状態、あるいはディスクホルダー２を前記アダプターに挿入した状態で行なわれる。
【００４５】
移動子２８の移動操作は、ディスクホルダー２をカートリッジケース１に挿入した状態でも、ディスクホルダー２をカートリッジケース１から抜き出した状態でもできる。
【００４６】
図２６は検出孔２３の変形例を示す図で、前記実施の形態では厚み方向に貫通した検出孔２３を用いたが、この例では検出孔２３がカートリッジケース１の貫通孔２７の方に向けて開口した有底状の場合を示している。
【００４７】
前記実施の形態では移動子をライトプロテクトとして用いたが、本発明はこれに限定されるものではなく、例えば記録用ディスクの記憶容量の識別や片面記録と両面記録の識別など他の機能子として用いることもできる。
【００４８】
前記実施の形態では記録用ディスクとして光ディスクを用いたが、本発明はこれに限定されるものではなく、他のディスクを用いることもできる。
【図面の簡単な説明】
【００４９】
【図１】本発明の実施の形態に係るディスクカートリッジの一部断面図である。
【図２】そのディスクカートリッジの平面図である。
【図３】上ケースの平面図である。
【図４】上ケースの側面図である。
【図５】上ケースの底面図である。
【図６】図５の正面図である。
【図７】図５の背面図である。
【図８】ディスクホルダーの平面図である。
【図９】ディスクホルダーの側面図である。
【図１０】ディスクホルダーの正面図である。
【図１１】ディスクホルダーの底面図である。
【図１２】図１１Ｘ−Ｘ線上の断面図である。
【図１３】ディスクホルダーに記録用ディスクを保持した状態を示す平面図である。
【図１４】ディスクホルダーのストッパー部分を中心とした拡大平面図である。
【図１５】図１４Ｙ−Ｙ線上の断面図である。
【図１６】カートリッジケースのディスクホルダー挿入用開口とディスクホルダーの形状を示す図である。
【図１７】図８Ｚ−Ｚ線上の拡大断面図である。
【図１８】ディスクホルダーに設けられている検出孔付近の拡大平面図である。
【図１９】移動子の拡大平面図である。
【図２０】移動子の拡大側面図である。
【図２１】移動子の拡大背面図である。
【図２２】移動子をディスクホルダーに装着する状態を示す一部拡大断面図である。
【図２３】移動子を装着したディスクカートリッジの要部拡大断面図である。
【図２４】移動子を移動させて検出孔を開いた状態を示す要部拡大平面図である。
【図２５】移動子を移動させて検出孔を閉じた状態を示す要部拡大平面図である。
【図２６】検出孔の変形例を示すディスクカートリッジの要部拡大断面図である。
【図２７】従来のディスクカートリッジにおいてライトプロテクトピンを装着する状態を説明するためのディスクカートリッジの側面図である。
【図２８】その従来のディスクカートリッジの平面図である。
【符号の説明】
【００５０】
１：カートリッジケース
２：ディスクホルダー
３：記録用ディスク
４：上ケース
５：下ケース
６：アクセス開口
８：切欠部
９：側壁
１０：ロック用凹部
１１：ディスクホルダー挿入用開口
１２：ディスク保持部
１３：嵌合部
１４：ロック用弾性片
１５：押圧部
１８：ストッパー
２１：溝部
２３ａ，２３ｂ：検出孔
２４ａ，２４ｂ：凹部
２５ａ，２５ｂ：スライド溝
２６ａ，２６ｂ：突部
２７ａ，２７ｂ：貫通孔
２８：移動子
２９：閉塞片部
３０：対向片部
３１，３３：傾斜面
３２，３４：係止爪
３５：サイド傾斜面
３６：凹み。
【図１】
2005071603.tif 000003
【図２】
2005071603.tif 000004
【図３】
2005071603.tif 000005
【図４】
2005071603.tif 000006
【図５】
2005071603.tif 000007
【図６】
2005071603.tif 000008
【図７】
2005071603.tif 000009
【図８】
2005071603.tif 000010
【図９】
2005071603.tif 000011
【図１０】
2005071603.tif 000012
【図１１】
2005071603.tif 000013
【図１２】
2005071603.tif 000014
【図１３】
2005071603.tif 000015
【図１４】
2005071603.tif 000016
【図１５】
2005071603.tif 000017
【図１６】
2005071603.tif 000018
【図１７】
2005071603.tif 000019
【図１８】
2005071603.tif 000020
【図１９】
2005071603.tif 000021
【図２０】
2005071603.tif 000022
【図２１】
2005071603.tif 000023
【図２２】
2005071603.tif 000024
【図２３】
2005071603.tif 000025
【図２４】
2005071603.tif 000026
【図２５】
2005071603.tif 000027
【図２６】
2005071603.tif 000028
【図２７】
2005071603.tif 000029
【図２８】
2005071603.tif 000030